【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
第１側部、その反対側の第２側部、内部表面及び外部表面を有する熱収縮性フィルムのシートから形成された個々の末端シールされた包装用袋において、該袋が
該第１側部を該第２側部に密着させ、そして第１袋壁部、第２袋壁部、相対する第１袋縁部と第２袋縁部、末端部及び該末端部の反対側にある開口部を有するチューブ部材を画定させる第１シールと、
該第１袋壁部及び第２袋壁部を介して備えられる第２シールであって、該第１袋壁部と第２袋壁部の両方の幅にわたって該末端部に近い位置で横方向に延び、それによって空いた製品収容室が該第１袋壁部、該第２袋壁部、該第２シール及び該開口部によって画定されるものと
を含み、しかも該第１シール及び第２シールの少なくとも一つが可剥性シールからなることを特徴とする、個々の末端シールされた包装用袋。
【請求項２】
第１シールがラップシール、フィンシール、突き合わせシール及びシールストリップよりなる群から選択され、しかも第１シールが可剥性シールからなることを特徴とする、請求項１に記載の袋。
【請求項３】
第１シールが、第１枠部及び第２枠部を有する突き合わせシールテープと、該第１枠部を前記第１側部に密着させる第１ヒートシールと、該第２枠部を前記第２側部に密着させる第２ヒートシールとを含む突き合わせシールからなる、請求項１又は２に記載の袋。
【請求項４】
突き合わせシールが引張フラップを含む請求項３に記載の袋。
【請求項５】
第１枠部が前記第１側部の内部表面にヒートシールされ、しかも第２枠部が前記第２側部の内部表面にヒートシールされた、請求項３又は４に記載の袋。
【請求項６】
第１側部及び第２側部の少なくとも一つを外側に延ばして引張フラップを形成させた請求項３、４又は５に記載の袋。
【請求項７】
突き合わせシールテープが可剥性系を含む突き合わせシールフィルムからなる請求項
３〜６のいずれかに記載の袋。
【請求項８】
第１ヒートシール及び第２ヒートシールが可剥性である請求項１〜７のいずれかに記載の袋。
【請求項９】
熱収縮性フィルムのシートが可剥性系を含む請求項１〜８のいずれかに記載の袋。
【請求項１０】
第１シールが、第１縁辺部、第２縁辺部、内側表面及び外側表面を有するストリップフィルムからなるシールストリップと、該第１縁辺部の該外側表面を前記第１側部の内部表面に密着させる第１ヒートシールと、該ストリップフィルムの該内側表面を前記第２側部の外部表面に密着させる第２ヒートシールとを含む、請求項１〜９のいずれかに記載の袋。
【請求項１１】
第２ヒートシールが可剥性シールである請求項１０に記載の袋。
【請求項１２】
第１ヒートシールが可剥性シールである請求項１０又は１１に記載の袋。
【請求項１３】
ストリップフィルムが可剥性系を含む請求項１０〜１２のいずれかに記載の袋。
【請求項１４】
ストリップフィルムが引張フラップを含む請求項１０〜１３のいずれかに記載の袋。
【請求項１５】
熱収縮性フィルムのシートが可剥性系を含む請求項３〜１４のいずれかに記載の袋。
【請求項１６】
フィルムが多層遮断フィルムからなる請求項３〜１５のいずれかに記載の袋。
【請求項１７】
多層遮断フィルムが、
（ａ）内側ヒートシール性層、
（ｂ）遮断層、
（ｃ）コア層、
（ｄ）タイ層、及び
（ｅ）外側ヒートシール性層
からなる、請求項１６に記載の袋。
【請求項１８】
外側ヒートシール性層が袋の外側表面を形成する請求項１７に記載の袋。
【請求項１９】
タイ層がコア層に永続的に結合し且つ外側ヒートシール性層に剥離できるように結合している請求項１７又は１８に記載の袋。
【請求項２０】
タイ層が外側ヒートシール性層に永続的に結合し且つコア層に剥離できるように結合している請求項１７又は１８に記載の袋。
【請求項２１】
タイ層がポリブチレンと少なくとも１種のその他の成分とのブレンドからなる請求項１７〜２０のいずれかに記載の袋。
【請求項２２】
少なくとも１種のその他の成分がポリエチレンからなる請求項２１に記載の袋。
【請求項２３】
外側ヒートシール性層がポリエチレンからなる請求項１７〜２２のいずれかに記載の袋。
【請求項２４】
コア層がポリエチレンとエチレン・酢酸ビニル共重合体とのブレンドからなる請求項１７〜２３のいずれかに記載の袋。
【請求項２５】
遮断層が塩化ビニリデン共重合体、エチレン・ビニルアルコール共重合体、ポリアクリロニトリル及びポリアミドよりなる群から選択される請求項１７〜２４のいずれかに記載の袋。
【請求項２６】
遮断層が塩化ビニリデン共重合体からなる請求項２５に記載の袋。
【請求項２７】
内側ヒートシール性層がポリエチレンとエチレン・酢酸ビニル共重合体とのブレンドからなる請求項１７〜２６のいずれかに記載の袋。
【請求項２８】
タイ層がポリブチレンと少なくとも１種のその他の成分とのブレンドからなり、外側ヒートシール性層がポリエチレンからなり、コア層がポリエチレンとエチレン・酢酸ビニル共重合体とのブレンドからなり、遮断層が塩化ビニリデン共重合体からなり、そして内側ヒートシール性層がポリエチレンとエチレン・酢酸ビニル共重合体とのブレンドからなることを特徴とする、請求項１７〜２７のいずれかに記載の袋。
【請求項２９】
少なくとも１種のその他の成分がポリエチレンからなり、しかも遮断層が塩化ビニリデン・アクリル酸メチル共重合体と塩化ビニリデン・塩化ビニル共重合体とのブレンドからなることを特徴とする、請求項２８に記載の袋。
【請求項３０】
前記フィルムの全体の厚さを基にして、内側ヒートシール性層が約０〜約５０％を占め、遮断層が約０〜約２０％を占め、コア層が約０〜約２８％を占め、タイ層が約０〜約１５％を占め、そして外側ヒートシール性層が約０〜約１５％を占めることを特徴とする、請求項１７〜２９のいずれかに記載の袋。
【請求項３１】
第１シールが可剥性であり且つ１インチ（２．５４ｃｍ）のストリップについて２キログラム以下のシール強度を有する請求項１〜３０のいずれかに記載の袋。
【請求項３２】
第１シールが可剥性であり且つ１インチ（２．５４ｃｍ）のストリップについて１．５キログラム以下のシール強度を有する請求項１〜３１のいずれかに記載の袋。
【請求項３３】
第２シールが可剥性であり且つ１インチ（２．５４ｃｍ）のストリップについて約５００〜約１０００グラムのシール強度を有する請求項１〜３２のいずれかに記載の袋。
【請求項３４】
第２シールが剥離できない請求項１〜３３のいずれかに記載の袋。
【請求項３５】
熱収縮性フィルムのシートが約１．２５ミル〜約８．０ミルの厚さを有する請求項１〜３４のいずれかに記載の袋。
【請求項３６】
熱収縮性フィルムのシートが約１．７５ミル〜約３．０ミルの厚さを有する請求項１〜３５のいずれかに記載の袋。
【請求項３７】
熱収縮性フィルムのシートが９０℃で少なくとも１方向に少なくとも２０％収縮する収縮値を有する二軸延伸フィルムからなる請求項１〜３６のいずれかに記載の袋。
【請求項３８】
前記収縮値が縦方向である請求項３７に記載の袋。
【請求項３９】
前記収縮値が横方向である請求項３７に記載の袋。
【請求項４０】
前記収縮値が縦方向及び横方向の両方向である請求項３７に記載の袋。
【請求項４１】
第１シールがラップシールからなり、しかも内側ヒートシール性層が袋の内側表面を形成する、請求項１７〜４０のいずれかに記載の袋。
【請求項４２】
第１シールがラップシールからなり、しかも第１側部が該第１シールを超えて外側に延びるシールされない部分を含む、請求項１〜４１のいずれかに記載の袋。
【請求項４３】
第１側部及びその反対側の第２側部を有する熱収縮性フィルムのシートから形成された末端シールされた包装用袋において、
該第１側部と該第２側部をその全長に沿って結合させ、それによって第１袋壁部、第２袋壁部、相対する第１袋縁部と第２袋縁部、末端部及び開口部を有するチューブ部材を画定させる第１シールであってラップシールからなり且つ剥離できるものと、
該第１壁部及び第２壁部を介して備えられ、該第１壁部及び第２壁部の両方の幅にわたって該末端部に近い位置で横方向に延びる第２シールと、
該第１壁部、該第２壁部、該第２シール及び該開口部によって画定される製品収容室と
を含むことを特徴とする、末端シールされた包装用袋。
【請求項４４】
次の工程：
（１）第１側部及びその反対側の第２側部を有する熱収縮性熱可塑性フィルムのシートを準備し、
（２）該第１側部と第２側部の間に第１シールを与えて、第１袋壁部と、第２袋壁部と、底部と、開口部とを有するチューブ部材を形成させ、
（３）該第１袋壁部及び第２袋壁部に該チューブ部材にわたって該底部に近い位置で横方向に延びる第２シールを与えること
を含み、しかも該第１シール及び第２シールが可剥性シールからなることを特徴とする、フィルムのフラットシートから少なくとも１個の可剥性シールを有する末端シールされた熱収縮性の包装用袋を形成させる方法。
【請求項４５】
熱収縮性熱可塑性フィルムのシートを、第１側部と第２側部を互いに合わせる前に所望の幅にスリットする、請求項４４に記載の方法。
【請求項４６】
熱収縮性熱可塑性フィルムのシートが９０℃で少なくとも１方向に少なくとも２０％の収縮値を有する請求項４４又は４５に記載の方法。
【請求項４７】
熱収縮性熱可塑性フィルムのシートがフィルムシートの連続ロールからなり、しかも（ｆ）チューブ部材に、少なくともその第１袋壁部及び第２袋壁部の両方の幅にわたって横方向に延びる切断部を横方向に与え、それによって第２シールを含む該チューブ部材の一部分を該チューブ部材から切り離すことをさらに含む、請求項４４〜４６のいずれかに記載の方法。
【請求項４８】
熱収縮性熱可塑性フィルムを、第１フィルムチューブを同時押出し、該第１フィルムチューブを冷却させ、該第１フィルムチューブをたたみ、該第１フィルムチューブをインフレートし、このインフレートされた第１フィルムチューブを再加熱し、該第１フィルムチューブを二軸延伸し、該第１フィルムチューブを冷却させ且つ再度たたみ、該第１フィルムチューブを縦方向にスリットし、そしてこのスリットされた第１チューブを開いて二軸延伸フィルムのフラットシートを製造することによって形成させる、請求項４４〜４７のいずれかに記載の方法。
【請求項４９】
次の工程：
（１）第１フィルムチューブを同時押出し、
（２）該フィルムチューブを二軸延伸して熱収縮性フィルムのチューブストックを与え、
（３）該チューブストックをスリットしてフィルムの連続フラットシートを形成させ、
（４）該フィルムの連続フラットシートを縦方向にスリットして第１側部とその反対側の第２側部とを有する所望の幅の袋状フィルムを形成させ、
（５）該第２側部と該第２側部の間に第１シールを与えて第１袋壁部、第２袋壁部及び該第１袋壁部と該第２袋壁部の間に画定される製品収容室を有するチューブ部材を形成させ、ここで、該第１シールは可剥性シールからなるものとし、
（６）該第１袋壁部と第２袋壁部の間に、該チューブ部材の幅にわたって横方向に延び且つ耐久性シールである第２シールを与え、
（７）該チューブ部材に、該チューブ部材の幅にわたって横方向に延び且つ該横方向のシールを含む該チューブ部材の一部分を該チューブ部材から切り離す切断部を与えること
を含む、熱収縮性袋を形成させる方法。
【請求項５０】
第１側部、その反対側の第２側部、内部表面及び外部表面を有する熱収縮性フィルムのシートから形成された末端シールされた包装用袋において、
該第１側部と該第２側部をその全長に沿って密着させ、そして第１袋壁部、第２袋壁部、相対する第１袋縁部と第２袋縁部、末端部及び開口部を有するチューブ部材を画定させる第１シールであってラップシールからなり且つ剥離できるものと、
該第１袋壁部及び第２袋壁部を介して備えられ、該第１袋壁部及び第２袋壁部の両方の幅にわたって該末端部に近い位置で横方向に延びる第２シールと、
該第１壁部、該第２壁部、該第２シール及び該開口部によって画定される製品収容室と
を含む、末端シールされた包装用袋。
【請求項５１】
フィルムが多層遮断フィルムからなる請求項５０に記載の袋。
【請求項５２】
フィルムが、
（ａ）内側ヒートシール性層、
（ｂ）該内側ヒートシール性層に隣接する遮断層、
（ｃ）該遮断層に隣接するコア層、
（ｄ）該コア層に隣接するタイ層、及び
（ｅ）該タイ層に隣接する外側ヒートシール性層
を含む多層遮断フィルムからなる、請求項５０又は５１に記載の袋。
【請求項５３】
タイ層がポリブチレンと少なくとも１種のその他の成分とのブレンドからなる請求項５２に記載の袋。
【請求項５４】
少なくとも１種のその他の成分がポリエチレンからなる請求項５３に記載の袋。
【請求項５５】
外側ヒートシール性層がポリエチレンからなる請求項５２〜５４のいずれかに記載の袋。
【請求項５６】
コア層がポリエチレンとエチレン・酢酸ビニル共重合体とのブレンドからなる請求項５２〜５５のいずれかに記載の袋。
【請求項５７】
遮断層が塩化ビニリデン共重合体、エチレン・ビニルアルコール共重合体、ポリアクリロニトリル及びポリアミドよりなる群から選択される請求項５２〜５６のいずれかに記載の袋。
【請求項５８】
遮断層が塩化ビニリデン共重合体からなる請求項５２〜５７のいずれかに記載の袋。
【請求項５９】
内側ヒートシール性層がポリエチレンとエチレン・酢酸ビニル共重合体とのブレンドからなる請求項５２〜５８のいずれかに記載の袋。
【請求項６０】
タイ層がポリブチレンと少なくとも１種のその他の成分とのブレンドからなり、外側ヒートシール性層がポリエチレンからなり、コア層がポリエチレンとエチレン・酢酸ビニル共重合体とのブレンドからなり、遮断層が塩化ビニリデン共重合体からなり、そして内側ヒートシール性層がポリエチレンとエチレン・酢酸ビニル共重合体とのブレンドからなる、請求項５２〜５９のいずれかに記載の袋。
【請求項６１】
少なくとも１種のその他の成分がポリエチレンからなり、しかも遮断層が塩化ビニリデン・アクリル酸メチル共重合体と塩化ビニリデン・塩化ビニル共重合体とのブレンドからなる、請求項６０に記載の袋。
【請求項６２】
前記フィルムの全体の厚さを基にして、内側ヒートシール性層が約０〜約５０％を占め、遮断層が約０〜約２０％を占め、コア層が約０〜約２８％を占め、タイ層が約０〜約１５％を占め、そして外側ヒートシール性層が約０〜約１５％を占める、請求項５２〜６１のいずれかに記載の袋。
【請求項６３】
第１シールが１インチ（２．５４ｃｍ）当たり３キログラム以上のシール強度を有する請求項５０〜６２のいずれかに記載の袋。
【請求項６４】
第１シールが１インチ（２．５４ｃｍ）当たり６キログラム以上のシール強度を有する請求項５０〜６３に記載の袋。
【請求項６５】
第２シールが１インチ（２．５４ｃｍ）当たり３キログラム以上のシール強度を有する請求項５０〜６４のいずれかに記載の袋。
【請求項６６】
外側ヒートシール性層が前記袋の外側表面を形成する請求項５２〜６５のいずれかに記載の袋。
【請求項６７】
タイ層がコア層に永続的に結合し且つ外側ヒートシール性層に剥離できるように結合している請求項５２〜６６のいずれかに記載の袋。
【請求項６８】
タイ層が外側ヒートシール性層に永続的に結合し且つコア層に剥離できるように結合している請求項５２〜６７のいずれかに記載の袋。